(57)【特許請求の範囲】
【請求項１】
車載装置に関する情報を表示すると共に、該車載装置を操作する操作画面を表示可能な複数の表示領域と、該複数の表示領域に表示される前記操作画面上の操作を行う操作部とを備える車両用情報表示装置であって、
前記操作部における操作に対応する操作信号を受信すると共に、前記複数の表示領域の表示制御を行う制御部であって、前記操作信号に基づいて、前記複数の表示領域のうち、前記操作部による操作が有効な表示領域としての操作有効表示領域を決定する制御部を備え、
前記操作画面は、複数の操作対象を含み、
前記操作部は、操作方向の指示が可能であり、
前記制御部は、
前記操作部に第１の操作が行われた場合、前記第１の操作に対応した操作信号に基づいて、前記操作有効表示領域における前記操作画面上の操作を実行し、
前記操作部に第２の操作が行われた場合であって、前記操作有効表示領域において、前記第２の操作により指示された操作方向に操作対象がある場合、前記第２の操作に対応した操作信号に基づいて、前記操作有効表示領域における操作対象の変更を実行し、
前記操作部に前記第２の操作が行われた場合であって、前記操作有効表示領域において、前記第２の操作により指示された操作方向に操作対象がない場合、前記第２の操作に対応した操作信号に基づいて、前記操作有効表示領域を変更することを特徴とする、
車両用情報表示装置。
【請求項２】
前記制御部は、
前記操作方向に応じて、操作有効表示領域を決定することを特徴とする、
請求項１に記載の車両用情報表示装置。
【請求項３】
車載装置に関する情報を表示すると共に、該車載装置を操作する操作画面を表示可能な複数の表示領域と、該複数の表示領域に表示される前記操作画面上の操作を行う操作部とを備える車両用情報表示装置であって、
前記操作部における操作に対応する操作信号を受信すると共に、前記複数の表示領域の表示制御を行う制御部であって、前記操作信号に基づいて、前記複数の表示領域のうち、前記操作部による操作が有効な表示領域としての操作有効表示領域を決定する制御部を備え、
前記操作部は、操作方向の指示が可能であり、
前記制御部は、
前記操作部に第１の操作が行われた場合、前記第１の操作に対応した操作信号に基づいて、前記操作有効表示領域における前記操作画面上の操作を実行し、
前記操作部に第２の操作が行われた場合であって、現在の前記操作有効表示領域が配置された位置に対して、前記第２の操作により指示された操作方向から所定範囲内の方向に前記複数の表示領域に含まれる表示領域が配置されている場合、前記操作有効表示領域を、前記第２の操作により指示された操作方向から前記所定範囲内の方向に隣接して配置される表示領域に変更し、
前記操作部に前記第２の操作が行われた場合であって、現在の前記操作有効表示領域が配置された位置に対して、前記第２の操作により指示された操作方向から所定範囲内の方向に前記複数の表示領域に含まれる表示領域が配置されていない場合、前記第２の操作に対応した操作信号に基づいて、前記操作有効表示領域における前記操作画面上の操作を実行することを特徴とする、
車両用情報表示装置。
【発明の詳細な説明】
【技術分野】
【０００１】
本発明は、車両の乗員の操作に応じて、情報を表示するための車両用情報表示装置に関する。
【背景技術】
【０００２】
従来から、複数のディスプレイと、該複数のディスプレイに表示される操作画面上での操作を行う共通の操作スイッチと、該操作スイッチによる操作が有効なディスプレイを切り替えるための切替スイッチを備える情報表示装置が知られている（例えば、特許文献１）。これにより、複数のディスプレイによって、より多くの情報を乗員に伝達可能としつつ、共通の操作スイッチを用いることで、操作の煩雑さを抑制することができる。
【先行技術文献】
【特許文献】
【０００３】
【特許文献１】特開２００７−１５３１９４号公報
【発明の概要】
【発明が解決しようとする課題】
【０００４】
しかしながら、操作スイッチによる操作が有効なディスプレイの切替のために、操作スイッチ以外に、専用の切替スイッチを設ける必要があるため、下記に示すような問題が生じる場合がある。
【０００５】
例えば、情報表示装置のハード上の制約等により、そもそも切替スイッチを設定することができない場合がありうる。また、操作者が切替スイッチの位置を操作時に確認する手間が発生することになるため、情報表示装置の操作性が悪化するおそれがある。
【０００６】
そこで、上記課題に鑑み、複数のディスプレイの操作を兼ねる一つの操作系により、該操作系による操作が有効なディスプレイの切替を行うことが可能な車両用情報表示装置を提供することを目的とする。
【課題を解決するための手段】
【０００７】
上記目的を達成するため、一実施形態において、車両用情報表示装置は、
車載装置に関する情報を表示すると共に、該車載装置を操作する操作画面を表示可能な複数の表示領域と、該複数の表示領域に表示される前記操作画面上の操作を行う操作部とを備える車両用情報表示装置であって、
前記操作部における操作に対応する操作信号を受信すると共に、前記複数の表示領域の表示制御を行う制御部であって、前記操作信号に基づいて、前記複数の表示領域のうち、前記操作部による操作が有効な表示領域としての操作有効表示領域を決定する制御部を備え、
前記操作画面は、複数の操作対象を含み、
前記操作部は、操作方向の指示が可能であり、
前記制御部は、
前記操作部に第１の操作が行われた場合、前記第１の操作に対応した操作信号に基づいて、前記操作有効表示領域における前記操作画面上の操作を実行し、
前記操作部に第２の操作が行われた場合であって、前記操作有効表示領域において、前記第２の操作により指示された操作方向に操作対象がある場合、前記第２の操作に対応した操作信号に基づいて、前記操作有効表示領域における操作対象の変更を実行し、
前記操作部に前記第２の操作が行われた場合であって、前記操作有効表示領域において、前記第２の操作により指示された操作方向に操作対象がない場合、前記第２の操作に対応した操作信号に基づいて、前記操作有効表示領域を変更することを特徴とする。
また、他の実施形態において、車両用表示装置は、
車載装置に関する情報を表示すると共に、該車載装置を操作する操作画面を表示可能な複数の表示領域と、該複数の表示領域に表示される前記操作画面上の操作を行う操作部とを備える車両用情報表示装置であって、
前記操作部における操作に対応する操作信号を受信すると共に、前記複数の表示領域の表示制御を行う制御部であって、前記操作信号に基づいて、前記複数の表示領域のうち、前記操作部による操作が有効な表示領域としての操作有効表示領域を決定する制御部を備え、
前記操作部は、操作方向の指示が可能であり、
前記制御部は、
前記操作部に第１の操作が行われた場合、前記第１の操作に対応した操作信号に基づいて、前記操作有効表示領域における前記操作画面上の操作を実行し、
前記操作部に第２の操作が行われた場合であって、現在の前記操作有効表示領域が配置された位置に対して、前記第２の操作により指示された操作方向から所定範囲内の方向に前記複数の表示領域に含まれる表示領域が配置されている場合、前記操作有効表示領域を、前記第２の操作により指示された操作方向から前記所定範囲内の方向に隣接して配置される表示領域に変更し、
前記操作部に前記第２の操作が行われた場合であって、現在の前記操作有効表示領域が配置された位置に対して、前記第２の操作により指示された操作方向から所定範囲内の方向に前記複数の表示領域に含まれる表示領域が配置されていない場合、前記第２の操作に対応した操作信号に基づいて、前記操作有効表示領域における前記操作画面上の操作を実行することを特徴とする。
【発明の効果】
【０００８】
本実施の形態によれば、複数のディスプレイの操作を兼ねる一つの操作系により、該操作系による操作が有効なディスプレイの切替を行うことが可能な車両用情報表示装置を提供することができる。
【図面の簡単な説明】
【０００９】
【図１】車両用情報表示装置の構成の一例を示すブロック図である。
【図２】車両に搭載されたディスプレイ及び操作スイッチの配置例を示す図である。
【図３】車両用情報表示装置（制御部）による操作有効ディスプレイの切替処理の一例を示すフローチャートである。
【図４】第２の実施形態における車両用情報表示装置（制御部）による操作有効ディスプレイの決定手法（変更手法）の一例を説明する図である。
【図５】第２の実施形態における車両用情報表示装置（制御部）による操作有効ディスプレイの決定手法（変更手法）の他の例を説明する図である。
【図６】第２の実施形態における車両用情報表示装置（制御部）による操作有効ディスプレイの決定手法（変更手法）の更に他の例を示す図である。
【図７】第３の実施形態における車両用情報表示装置（制御部）による操作有効ディスプレイの決定手法（変更手法）の一例を示す図である。
【図８】第４の実施形態における車両用情報表示装置（制御部）による操作有効ディスプレイの決定手法（変更手法）の一例を示す図である。
【図９】第４の実施形態における車両用情報表示装置（制御部）による操作有効ディスプレイの決定手法（変更手法）の他の例を示す図である。
【図１０】第４の実施形態における車両用情報表示装置（制御部）による操作有効ディスプレイの決定手法（変更手法）の更に他の例を示す図である。
【発明を実施するための形態】
【００１０】
以下、図面を参照して発明を実施するための形態について説明する。
【００１１】
［第１の実施形態］
図１は、車両用情報表示装置１の構成の一例を示すブロック図である。本実施形態に係る車両用情報表示装置１は、後述するように複数のディスプレイを備え、車両の運転者等による操作に応じて、各種情報（情報画面）を表示させる。また、車両用情報表示装置１は、複数のディスプレイに車載装置の操作画面を表示可能に構成され、運転者等による操作画面の操作により上記車載装置における所定の操作を行うことができる。
【００１２】
車両用情報表示装置１は、操作スイッチ１０、制御部２０、表示部３０を含む。
【００１３】
操作スイッチ１０は、表示部３０に含まれる複数のディスプレイに表示される車載装置の操作画面における操作を行う操作手段である。該車載装置としては、カーナビゲーション装置、オーディオ装置、空調装置等が含まれてよい。また、具体的には、複数のディスプレイに表示される各操作画面における操作対象（操作メニュー）を選択するためのスイッチ（例えば、操作メニュー間を移動するための方向指示スイッチ）や選択したメニューを決定する決定スイッチ等を含んでよい。また、操作スイッチ１０は、表示部３０に含まれる複数のディスプレイ間で、自らの操作が有効なディスプレイ（以下、「操作有効ディスプレイ」と呼ぶ）を切り替えることが可能に構成される。操作スイッチ１０は、制御部２０とＣＡＮ（Ｃｏｎｔｒｏｌｌｅｒ  Ａｒｅａ  Ｎｅｔｗｏｒｋ）等の車載ＬＡＮやじか線等により通信可能に接続され、操作スイッチ１０が操作された場合に出力される操作信号は、制御部２０に送信される。
【００１４】
制御部２０は、表示部３０に含まれる複数のディスプレイに表示させる車載装置の各種情報（情報画面）や操作画面等の表示制御を行う制御手段である。制御部２０は、操作スイッチ１０、複数のディスプレイを含む表示部３０、及び図示しない車載装置（ナビゲーション装置、空調装置、オーディオ装置等）とＣＡＮ等の車載ＬＡＮやじか線により通信可能に接続される。具体的には、マイクロコンピュータとして構成され、ＲＯＭに格納された各種プログラムをＣＰＵ上で実行することにより、後述する各種制御処理を実行してよい。例えば、制御部２０は、操作スイッチ１０から受信した操作信号に応じて、車載装置の操作画面上における各種操作を実行してよい。より具体的には、操作スイッチ１０から受信した操作信号に応じて、各操作画面上における複数の操作メニューの選択切替（選択変更）を行ったり、操作メニューの決定を行ったりしてよい。また、操作スイッチ１０から受信した操作信号に応じて、操作有効ディスプレイを決定し、操作有効ディスプレイが変更される場合、操作有効ディスプレイの切替（変更）を実行してよい。操作スイッチ１０における操作に応じた操作有効ディスプレイの変更処理の詳細については、後述する。
【００１５】
表示部３０は、複数のディスプレイを含む表示手段であり、車載装置の各種情報（情報画面）や車載装置の操作画面等の画像を表示可能に構成される。本例では、表示部３０は、２つのディスプレイ３１、３２を含む。ディスプレイ３１、３２のそれぞれに表示される情報は、同じ車載装置に関するものであってもよいし、異なる車載装置に関するものであってもよい。また、同様に、ディスプレイ３１、３２のそれぞれに表示される操作画面は、同じ車載装置に関するものであってもよいし、異なる車載装置に関するものであってもよい。表示部３０に含まれる複数のディスプレイは、制御部２０と通信可能に構成され、表示部３０に含まれる複数のディスプレイのうち、操作有効ディスプレイであるディスプレイは、制御部２０に操作有効信号を送信してよい。これにより、制御部２０は、現在の操作有効ディスプレイがどのディスプレイであるかを判断することができる。
【００１６】
なお、表示部３０に含まれる複数のディスプレイに表示される車載装置の情報画面と操作画面とは、重畳的にディスプレイ上に表示されてもよい。例えば、カーナビゲーション装置の地図と自車の位置を示す情報画面と、カーナビゲーション装置の設定操作画面（地図の縮尺設定や地図の表示方位設定等）とは、ディスプレイ上において、重畳的に表示されてよい。
【００１７】
ここで、操作スイッチ１０、ディスプレイ３１、３２の具体的な車載態様について簡単に説明をする。
【００１８】
図２は、車両に搭載されたディスプレイ３１、３２及び操作スイッチ１０の配置例を示す図である。図２は、車室内前方のインストルメントパネルを車室内後方から見た状態を示しており、図２（ａ）は、ディスプレイ３１、３２及び操作スイッチ１０の配置の一例を示し、図２（ｂ）は、ディスプレイ３１、３２及び操作スイッチ１０の配置の他の例を示す。
【００１９】
図２（ａ）を参照するに、ディスプレイ３１、３２は、インストルメントパネルの中央部において、上下方向に並べて配置され、ディスプレイ３１、３２の操作画面における操作を行う操作スイッチ１０は、ステアリングホイールのスポーク上に配置される。なお、操作スイッチ１０をステアリングホイールに配置することにより、運転中において、運転者は、ステアリングホイールから手を離すことなくディスプレイ３１、３２の操作画面を操作することが可能となり、安全性、操作性等を向上させることができる。
【００２０】
また、図２（ｂ）を参照するに、ディスプレイ３１は、インストルメントパネルの中央部に配置され、ディスプレイ３２は、運転席の正面に位置するメータパネル内に設けられる。即ち、ディスプレイ３１、３２は、左右方向に並べて配置される。
【００２１】
なお、図２には例示しないが、表示部３０に含まれるディスプレイとして、３つ以上のディスプレイを車載してもよい。
【００２２】
また、図２（ａ）、（ｂ）を参照するに、操作スイッチ１０は、操作画面における操作メニューの決定（確定）するための決定スイッチＤＣ、及び、複数の操作メニュー間の移動をするための方向指示スイッチ（上スイッチＵＳ、下スイッチＤＳ、左スイッチＬＳ、及び右スイッチＲＳ）を含む。なお、操作スイッチ１０としては、ジョイスティックやモーメンタルスイッチ等を採用することにより、操作メニューの決定、及び操作メニュー間の移動を実現してもよい。また、タッチパネルやタッチパッド等を採用することにより、操作メニューの決定、及び操作メニュー間の移動を実現してもよい。
【００２３】
次に、本実施形態に係る車両用情報表示装置１（制御部２０）による操作有効ディスプレイの変更処理について説明を行う。
【００２４】
図３は、車両用情報表示装置１（制御部２０）による操作有効ディスプレイの変更処理の一例を示すフローチャートである。本フローチャートによる処理は、運転者等により操作スイッチ１０が操作され、当該操作に対応した操作信号が制御部２０に入力される度に実行されてよい。
【００２５】
図３を参照するに、ステップＳ１０１では、操作スイッチ１０からの操作信号を取得する。これにより、制御部２０は、運転者等により操作スイッチ１０に行われた操作を認知することができる。
【００２６】
続いて、ステップＳ１０２では、表示部３０から操作有効信号を取得する。これにより、制御部２０は、表示部３０に含まれる複数のディスプレイのうち、どのディスプレイが操作有効ディスプレイであるかを認知することができる。なお、後述するとおり、制御部２０により操作有効ディスプレイの決定が行われる。そのため、制御部２０は、操作スイッチ１０の操作に応じて、操作有効ディスプレイを決定する度に、どのディスプレイを操作有効ディスプレイに決定したのかに関するフラグ等を内部のＲＡＭ等に記憶させることにより、現在の操作有効ディスプレイを認知してもよい。
【００２７】
続いて、ステップＳ１０３では、取得した操作信号及び操作有効信号に基づき、表示部３０に含まれる複数のディスプレイの中から操作有効ディスプレイを決定する。具体的な操作有効ディスプレイの決定手法については後述する。
【００２８】
続いて、ステップＳ１０４では、操作有効ディスプレイの変更があるか否かを判定する。
即ち、現在の操作有効ディスプレイと、操作スイッチ１０の操作に応じて、ステップＳ１０３で新たに決定された操作有効ディスプレイとが異なるか否かを判定する。
【００２９】
操作有効ディスプレイの変更がない場合、即ち、現在の操作有効ディスプレイと、新たに決定された操作有効ディスプレイが同じ場合、そのまま、今回の処理を終了する。つまり、操作有効ディスプレイは変更されない。
【００３０】
操作有効ディスプレイの変更がある場合、即ち、現在の操作有効ディスプレイと、新たに決定された操作有効ディスプレイが異なる場合、ステップＳ１０５に進む。
【００３１】
ステップＳ１０５では、操作有効ディスプレイの切替信号を表示部３０に出力し、操作有効ディスプレイの変更を行い、今回の処理を終了する。
【００３２】
このように、制御部２０は、操作スイッチ１０の操作に応じて、操作有効ディスプレイの決定を行い、操作有効ディスプレイに変更が生じた場合は、操作有効ディスプレイの切替（変更）を行う。
【００３３】
ここで、本実施形態に係る車両用情報表示装置１（制御部２０）による操作有効ディスプレイの決定手法の詳細について、説明をする。なお、表示部３０には、図１に示した２つのディスプレイ３１、３２が含まれ、図２に示した操作スイッチ１０により操作有効ディスプレイの変更操作が行われるものとして説明する。また、ディスプレイ３１が現在の操作有効ディスプレイである前提で説明する。
【００３４】
まず、操作スイッチ１０の各スイッチ（決定スイッチＤＣ、上スイッチＵＳ、下スイッチＤＳ、左スイッチＬＳ、右スイッチＲＳ）が所定時間（例えば、１秒）以下の押圧時間で押された（以下、「短押し操作」と呼ぶ）場合、新たな操作有効ディスプレイをディスプレイ３１に決定する。即ち、操作有効ディスプレイは変更されず、操作有効ディスプレイの切替は行われない。また、制御部２０は、当該短押し操作に対して、通常の操作画面の操作を実行させる。即ち、現在の操作有効ディスプレイ（ディスプレイ３１）における操作画面の操作が行われる。
【００３５】
これに対して、操作スイッチ１０の各スイッチが所定時間（例えば、１秒）より長い押圧時間で押された（以下「長押し操作」と呼ぶ）場合、新たな操作有効ディスプレイをディスプレイ３２に決定する。即ち、制御部２０は、操作有効ディスプレイを変更し、ディスプレイ３１からディスプレイ３２に操作有効ディスプレイを切り替える。
【００３６】
このように、制御部２０は、操作スイッチ１０に対して、通常の操作、即ち、第１の操作（短押し操作）がされた場合、操作信号に応じて、（現在の）操作有効ディスプレイにおける操作画面の操作を行う。また、操作スイッチ１０に対して、第２の操作（長押し操作）がされた場合、操作有効ディスプレイを変更する。これにより、操作有効ディスプレイを切り替えるための専用の操作系を設けることなく、操作有効ディスプレイの変更（切替）を行うことができる。また、表示部３０に含まれる複数のディスプレイ上の操作画面の操作を行う操作スイッチ１０による操作有効ディスプレイの変更が可能なため、操作有効ディスプレイの変更に際して、手元を確認する等の手間がなく、操作性を向上させることができる。また、ハード制約等によりそもそも操作有効ディスプレイの切替スイッチの設定が困難な場合等には好適である。
【００３７】
なお、第１の操作、第２の操作は、短押し操作、長押し操作の組み合わせに限られない。例えば、所定時間内に操作スイッチ１０の各スイッチを１回押す操作（以下、「１回押し操作」と呼ぶ）を第１の操作とし、所定時間内に各スイッチを２回押す操作（以下、「２回押し操作」と呼ぶ）を第２の操作としてもよい。また、操作スイッチ１０の代わりにジョイスティックやモーメンタルスイッチ等を採用する場合、一定方向に傾けた状態が所定時間以下の場合を短押し操作と同等の操作とし、一定方向に傾けた状態が所定時間より長い場合を長押し操作と同等の操作としてよい。また、所定時間内に一定方向に傾ける操作を１回行った場合を１回押し操作と同等の操作とし、所定時間内に一定方向に傾ける操作を２回行った場合を２回押し操作と同等の操作としてもよい。また、操作スイッチ１０の代わりに、タッチパッドやタッチパネルを採用する場合、所定時間内に１回タッチする操作（以下、「シングルタッチ」と呼ぶ）を第１の操作とし、所定時間内に２回タッチする操作（以下、「ダブルタッチ」と呼ぶ）を第２の操作としてもよい。
【００３８】
また、表示部３０には、２つのディスプレイ３１、３２が含まれる例を用いて説明を行ったが、３つ以上のディスプレイが含まれてもよい。この場合、表示部３０に含まれる複数のディスプレイ毎に、操作有効ディスプレイの変更先を予め設定しておくとよい。例えば、ディスプレイ３１、３２に加えて、他のディスプレイを含む３つのディスプレイが表示部３０に含まれる場合、ディスプレイ３１からはディスプレイ３２に、ディスプレイ３２からは他のディスプレイに、他のディスプレイからはディスプレイ３１に操作有効ディスプレイが変更されると予め決定しておくとよい。これにより、例えば、操作有効ディスプレイがディスプレイ３２である状態で、第２の操作が行われると、制御部２０は、新たな操作有効ディスプレイを他のディスプレイに決定することができる。
【００３９】
［第２の実施形態］
次いで、第２の実施形態について説明をする。
【００４０】
本実施形態に係る車両用情報表示装置１は、操作方向の指示を伴った第２の操作（例えば、長押し操作）が行われた場合であって、該操作方向に隣接したディスプレイがある場合に、操作有効ディスプレイの変更を行う点において、第１の実施形態と異なる。以下、第１の実施形態と同様の構成要素については同一の符号を付して、異なる部分を中心に説明をする。
【００４１】
本実施形態に係る車両用情報表示装置１の構成及び操作有効ディスプレイの変更処理のフローチャートは、第１の実施形態と同様、図１、及び図３で表されるため、説明を省略する。
【００４２】
次に、本実施形態に係る車両用情報表示装置１（制御部２０）による操作有効ディスプレイの決定手法の詳細について、説明をする。なお、表示部３０には、図１に示した２つのディスプレイ３１、３２が含まれるものとして説明をする。また、前提として、第１の実施形態と同様、制御部２０は、操作スイッチ１０に対して、第１の操作（短押し操作）がされた場合、操作信号に応じて、（現在の）操作有効ディスプレイにおける操作画面の操作を行うものとする。
【００４３】
図４は、本実施形態に係る車両用情報表示装置１（制御部２０）による操作有効ディスプレイの決定手法（変更手法）の一例を説明する図である。図４（ａ）は、車両における表示部３０に含まれるディスプレイ３１、３２の配置を説明する模式図である。図４（ｂ）は、図４（ａ）に示すディスプレイ３１、３２の配置を前提とした操作有効ディスプレイの変更手法を説明する図である。
【００４４】
図４（ａ）を参照するに、本例では、上述した図２と同様、操作スイッチ１０は、決定スイッチＤＣ、及び方向指示スイッチ（上スイッチＵＳ、下スイッチＤＳ、左スイッチＬＳ、右スイッチＲＳ）を含むものがステアリングホイールに配置される。また、ディスプレイ３１、３２は、図２（ｂ）と同様、左から右方向にディスプレイ３１、ディスプレイ３２の順で並べて配置される。
【００４５】
図４（ａ）のディスプレイ３１、３２の配置を前提に、制御部２０は、操作スイッチ１０における操作方向の指示（上スイッチＵＳ、下スイッチＤＳ、左スイッチＬＳ、右スイッチＲＳの操作）に応じて、（変更後の）新たな操作有効ディスプレイを決定する。具体的には、図４（ｂ）を参照するに、ディスプレイ３１が操作有効ディスプレイである場合、右スイッチＲＳに長押し操作がされると、制御部２０は、新たな操作有効ディスプレイをディスプレイ３２に決定し、操作有効ディスプレイをディスプレイ３２に変更する。また、ディスプレイ３２が操作有効ディスプレイである場合、左スイッチＬＳが長押し操作されると、制御部２０は、新たな操作有効ディスプレイをディスプレイ３１に決定し、操作有効ディスプレイをディスプレイ３１に変更する。即ち、制御部２０は、操作スイッチ１０に第２の操作（長押し操作）がされた場合であって、第２の操作により指示された操作方向に表示部３０に含まれるディスプレイがある場合、操作有効ディスプレイを、当該操作方向に隣接するディスプレイに変更する。これにより、第１の実施形態と同様、操作有効ディスプレイを切り替えるための専用の操作系を設けることなく、操作有効ディスプレイの変更（切替）を行うことができ、操作性を向上させることができる。また、ディスプレイの配置と操作方向の指示を対応させて、操作有効ディスプレイの変更を行うため、操作者（運転者等）が直感的に操作を行うことが可能となり、操作性をより向上させることが可能である。
【００４６】
また、図４では、ディスプレイ３１、３２を左右方向に並べて配置した例について説明を行ったが、ディスプレイ３１、３２を上下方向に並べて配置した場合についても、同様の操作有効ディスプレイの変更処理が実行されてよい。
【００４７】
図５は、本実施形態に係る車両用情報表示装置１（制御部２０）による操作有効ディスプレイの決定手法（変更手法）の他の例を説明する図である。図５（ａ）は、車両における表示部３０に含まれるディスプレイ３１、３２の配置を説明する模式図である。図５（ｂ）は、図５（ａ）に示すディスプレイ３１、３２の配置を前提とした操作有効ディスプレイの変更手法を説明する図である。
【００４８】
図５（ａ）を参照するに、本例では、上述した図２と同様、操作スイッチ１０は、決定スイッチＤＣ、及び方向指示スイッチ（上スイッチＵＳ、下スイッチＤＳ、左スイッチＬＳ、右スイッチＲＳ）を含むものがステアリングホイールに配置される。また、ディスプレイ３１、３２は、図２（ａ）と同様、上から下方向にディスプレイ３１、ディスプレイ３２の順で並べて配置される。
【００４９】
図５（ａ）のディスプレイ３１、３２の配置を前提に、制御部２０は、操作スイッチ１０における操作方向の指示（上スイッチＵＳ、下スイッチＤＳ、左スイッチＬＳ、右スイッチＲＳの操作）に応じて、（変更後の）新たな操作有効ディスプレイを決定する。具体的には、図５（ｂ）を参照するに、ディスプレイ３１が操作有効ディスプレイである場合、下スイッチＤＳに長押し操作がされると、制御部２０は、新たな操作有効ディスプレイをディスプレイ３２に決定し、操作有効ディスプレイをディスプレイ３２に変更する。また、ディスプレイ３２が操作有効ディスプレイである場合、上スイッチＵＳが長押し操作されると、制御部２０は、新たな操作有効ディスプレイをディスプレイ３１に決定し、操作有効ディスプレイをディスプレイ３１に変更する。即ち、制御部２０は、操作スイッチ１０に第２の操作（長押し操作）がされた場合であって、第２の操作により指示された操作方向に表示部３０に含まれるディスプレイがある場合、操作有効ディスプレイを、当該操作方向に隣接するディスプレイに変更する。これにより、上述した図４の例と同様の効果が得られる。
【００５０】
また、表示部３０に３つ以上のディスプレイが含まれる場合であって、複数の方向にディスプレイが並べられる場合についても、同様の操作有効ディスプレイの変更処理が実行されてよい。以下、表示部３０に４つのディスプレイ３１、３２、３３、３４が含まれる例について説明を行う。
【００５１】
図６は、本実施形態に係る車両用情報表示装置１（制御部２０）による操作有効ディスプレイの決定手法（変更手法）の更に他の例を説明する図である。図６（ａ）は、車両における表示部３０に含まれるディスプレイ３１〜３４の配置を説明する模式図である。図６（ｂ）は、図６（ａ）に示すディスプレイ３１〜３４の配置を前提とした操作有効ディスプレイの変更手法を説明する図である。
【００５２】
図６（ａ）を参照するに、本例では、上述した図２と同様、操作スイッチ１０は、決定スイッチＤＣ、及び方向指示スイッチ（上スイッチＵＳ、下スイッチＤＳ、左スイッチＬＳ、右スイッチＲＳ）を含むものがステアリングホイールに配置される。また、ディスプレイ３１〜３４は、上下方向、左右方向それぞれに２列で並べて配置される。具体的には、上下方向に上からディスプレイ３１、ディスプレイ３２の順で並べて配置され、これらの右に並列して上下方向に上からディスプレイ３３、ディスプレイ３４の順で並べて配置される。また、ディスプレイ３１、ディスプレイ３３は、左右方向に左からこの順で並べて配置され、これらの下に並列してディスプレイ３２、３４も、左右方向に左からこの順で並べて配置される。
【００５３】
図６（ａ）のディスプレイ３１〜３４の配置を前提に、制御部２０は、操作スイッチ１０における操作方向の指示（上スイッチＵＳ、下スイッチＤＳ、左スイッチＬＳ、右スイッチＲＳの操作）に応じて、（変更後の）新たな操作有効ディスプレイを決定する。具体的には、図６（ｂ）を参照するに、ディスプレイ３１が操作有効ディスプレイである場合、下スイッチＤＳに長押し操作（第２の操作）がされると、制御部２０は、新たな操作有効ディスプレイを下方向に隣接するディスプレイ３２に決定し、操作有効ディスプレイをディスプレイ３２に変更する。また、右スイッチＲＳに長押し操作されると、制御部２０は、新たな操作有効ディスプレイを右方向に隣接するディスプレイ３３に決定し、操作有効ディスプレイをディスプレイ３３に変更する。また、ディスプレイ３２が操作有効ディスプレイである場合、上スイッチＵＳが長押し操作されると、制御部２０は、新たな操作有効ディスプレイを上方向に隣接するディスプレイ３１に決定し、操作有効ディスプレイをディスプレイ３１に変更する。また、右スイッチＲＳに長押し操作がされると、制御部２０は、新たな操作有効ディスプレイを右方向に隣接するディスプレイ３４に決定し、操作有効ディスプレイをディスプレイ３４に変更する。また、ディスプレイ３３が操作有効ディスプレイである場合、左スイッチＬＳに長押し操作がされると、制御部２０は、新たな操作有効ディスプレイを左方向に隣接するディスプレイ３１に変更し、操作有効ディスプレイをディスプレイ３１に変更する。また、下スイッチＤＳに長押し操作がされると、制御部２０は、操作有効ディスプレイを下方向に隣接するディスプレイ３４に変更し、操作有効ディスプレイをディスプレイ３４に変更する。また、操作有効ディスプレイがディスプレイ３４である場合、左スイッチＬＳに長押し操作がされると、制御部２０は、操作有効ディスプレイを左方向に隣接するディスプレイ３２に決定し、操作有効ディスプレイをディスプレイ３２に変更する。また、上スイッチＵＳに長押し操作がされると、制御部２０は、操作有効ディスプレイを上方向に隣接するディスプレイ３３に変更し、操作有効ディスプレイをディスプレイ３３に変更する。即ち、制御部２０は、操作スイッチ１０に第２の操作（長押し操作）がされた場合であって、第２の操作により指示された操作方向に表示部３０に含まれるディスプレイがある場合、操作有効ディスプレイを、当該操作方向に隣接するディスプレイに変更する。これにより、上述した図４、５の例と同様の効果が得られる。
【００５４】
なお、図４〜６の例において、第２の操作がされた場合であって、第２の操作により指示された操作方向に表示部３０に含まれるディスプレイがない場合、制御部２０は、任意に対応してよい。例えば、第２の操作に対応した操作信号に応じて、操作有効ディスプレイを変更してよいし、（現在の）操作有効ディスプレイにおいて、操作画面の操作を実行するようにしてもよいし、操作を無効としてもよい。
【００５５】
また、第１の実施形態と同様、第１の操作、第２の操作は、短押し操作、長押し操作の組み合わせに限られない。例えば、１回押し操作を第１の操作とし、２回押し操作を第２の操作としてもよい。また、操作スイッチ１０の代わりにジョイスティックやモーメンタルスイッチ等を採用する場合、一定方向に傾けた状態が所定時間以下の場合を短押し操作と同等の操作とし、一定方向に傾けた状態が所定時間より長い場合を長押し操作と同等の操作としてよい。また、所定時間内に一定方向に傾ける操作を１回行った場合を１回押し操作と同等の操作とし、所定時間内に一定方向に傾ける操作を２回行った場合を２回押し操作と同等の操作としてもよい。また、操作スイッチ１０の代わりに、タッチパッドやタッチパネルを採用する場合、シングルタッチを第１の操作とし、ダブルタッチを第２の操作としてもよい。また、タッチパッドやタッチパネルにおける操作方向の指示は、操作方向に弾くようにタッチパッドやタッチパネルをタッチ操作（所謂フリック操作）することにより行われてよい。
【００５６】
また、図４〜６に示した例では、表示部３０に含まれるディスプレイ３１〜３４が規則正しく上下方向及び／又は左右方向に並べて配置されているが、実際の車両においては、他の制約により上述した例のように規則正しく配置されない場合もありうる。例えば、ディスプレイ３１、３２を左右方向に並べる場合であっても、インストルメントパネルへの搭載位置の制約により上下方向に多少のずれが生じてしまう場合がありうる。そのような場合であっても、上述した操作有効ディスプレイの変更処理が適用されることが好ましい。そこで、第２の操作により指示された操作方向から所定範囲内の方向に表示部３０に含まれるディスプレイがある場合、操作有効ディスプレイを、当該操作方向から所定範囲内の方向に隣接するディスプレイに変更するようにするとよい。この際の所定範囲は、表示部３０に含まれる複数のディスプレイの車載位置により適宜設定されてよい。
【００５７】
［第３の実施形態］
次いで、第３の実施形態について説明をする。
【００５８】
本実施形態に係る車両用情報表示装置１は、操作方向の指示を伴った第２の操作（例えば、長押し操作）が行われた場合であって、操作有効ディスプレイにおいて、該操作方向に操作メニューがない場合に、操作有効ディスプレイの変更を行う点において、第１の実施形態と異なる。以下、第１の実施形態と同様の構成要素については同一の符号を付して、異なる部分を中心に説明をする。
【００５９】
本実施形態に係る車両用情報表示装置１の構成及び操作有効ディスプレイの変更処理のフローチャートは、第１の実施形態と同様、図１、及び図３で表されるため、説明を省略する。
【００６０】
次に、本実施形態に係る車両用情報表示装置１（制御部２０）による操作有効ディスプレイの決定手法（変更手法）の詳細について、説明をする。なお、表示部３０には、図１に示した２つのディスプレイ３１、３２が含まれるものとして説明をする。また、前提として、第１、２の実施形態と同様、制御部２０は、操作スイッチ１０に対して、第１の操作（短押し操作）がされた場合、操作信号に応じて、（現在の）操作有効ディスプレイにおける操作画面の操作を行うものとする。
【００６１】
図７は、本実施形態に係る車両用情報表示装置１（制御部２０）による操作有効ディスプレイの決定手法（変更手法）の一例を説明する図である。図７（ａ）は、車両における表示部３０に含まれるディスプレイ３１、３２の配置及び操作画面を説明する模式図である。図７（ｂ）は、図７（ａ）に示すディスプレイ３１、３２の配置及び操作画面を前提とした操作有効ディスプレイの変更手法を説明する図である。
【００６２】
図７（ａ）を参照するに、本例では、上述した図２と同様、操作スイッチ１０は、決定スイッチＤＣ、及び方向指示スイッチ（上スイッチＵＳ、下スイッチＤＳ、左スイッチＬＳ、右スイッチＲＳ）を含むものがステアリングホイールに配置される。また、ディスプレイ３１、３２は、図２（ｂ）と同様、左右方向に左からディスプレイ３１、ディスプレイ３２の順で並べて配置される。また、ディスプレイ３１には、操作画面が表示されており、操作画面には、操作対象としての操作メニューＡＡ、ＢＢ、ＣＣがこの順で左から右方向に配列される。なお、操作メニューＡＡ、ＢＢ、ＣＣは、例えば、何れの車載装置の情報画面を表示させるかについての選択メニューやオーディオ装置におけるソース選択メニュー（ラジオ、ＣＤ、ＤＶＤ等を選択するメニュー）等、任意の操作メニューであってよい。また、ディスプレイ３２における操作画面上の操作メニューの表示態様等は任意のものでよい。
【００６３】
図７（ａ）のディスプレイ３１、３２の配置及び操作画面を前提に、制御部２０は、操作スイッチ１０における操作方向の指示（上スイッチＵＳ、下スイッチＤＳ、左スイッチＬＳ、右スイッチＲＳの操作）に応じて、（変更後の）新たな操作有効ディスプレイを決定する。具体的には、図７（ｂ）を参照するに、ディスプレイ３１が操作有効ディスプレイである場合であって、操作メニューＡＡが選択された状態である場合、上スイッチＵＳ、下スイッチＤＳ、又は左スイッチＬＳに長押し操作（第２の操作）がされると、制御部２０は、操作有効ディスプレイをディスプレイ３２に変更する。また、ディスプレイ３１が操作有効ディスプレイである場合であって、操作メニューＢＢが選択された状態である場合、上スイッチＵＳ、又は下スイッチＤＳに長押し操作がされると、制御部２０は、操作有効ディスプレイをディスプレイ３２に変更する。また、ディスプレイ３１が操作有効ディスプレイである場合であって、操作メニューＣＣが選択された状態である場合、上スイッチＵＳ、下スイッチＤＳ、又は右スイッチＲＳに長押し操作がされると、制御部２０は、操作有効ディスプレイをディスプレイ３２に変更する。即ち、制御部２０は、第２の操作がされた場合であって、操作有効ディスプレイにおいて、第２の操作により指示された操作方向に操作メニューがない場合、第２の操作に対応する操作信号に基づいて、操作有効ディスプレイを変更する。これにより、第１の実施形態と同様の効果を得ることができる。
【００６４】
また、本例と同様、ディスプレイ３２が操作有効ディスプレイである場合において、ディスプレイ３２における操作画面の操作メニューとの関係で、同様の操作有効ディスプレイの変更手法が適用されてよい。また、ディスプレイ３１、３２が上下方向に並べて配置されている場合において、本例と同様の操作有効ディスプレイの変更手法が適用されてよい。
【００６５】
また、表示部３０に含まれるディスプレイが３つ以上の場合についても、同様の操作有効ディスプレイの変更手法が適用されてよい。この場合、変更後の操作有効ディスプレイの候補となるディスプレイが複数となるため、例えば、表示部３０に含まれるディスプレイ毎に、変更後の操作有効ディスプレイとなるディスプレイを予め設定しておくとよい。また、制御部２０は、第２の操作により指示された操作方向に応じて、操作有効ディスプレイを決定してもよい。具体的には、表示部３０にディスプレイ３１、３２に加えて、他のディスプレイが含まれ、他のディスプレイ、ディスプレイ３１、ディスプレイ３２の順で左から右方向に並べて配置されている場合であって、ディスプレイ３１が操作有効ディスプレイである場合を想定する。この場合、操作メニューＡＡが選択された状態で、左スイッチＬＳに長押し操作（第２の操作）がされると、制御部２０は、新たな操作有効ディスプレイを左方向に隣接する上記他のディスプレイに決定し、操作有効ディスプレイを他のディスプレイに変更してよい。また、操作メニューＣＣが選択された状態で、右スイッチＲＳに長押し操作がされると、制御部２０は、新たな操作有効ディスプレイを右方向に隣接するディスプレイ３２に決定し、操作有効ディスプレイをディスプレイ３２に変更してよい。これにより、指示された操作方向と現在の操作有効ディスプレイから見た変更後の操作有効ディスプレイの方向が略一致するため、操作者（運転者等）が直感的に操作を行うことが可能となり、操作性をより向上させることが可能である。なお、隣接するディスプレイがない方向に長押し操作がされた場合については、操作有効ディスプレイを、上述した予め設定された変更後の操作有効ディスプレイとなるディスプレイに変更してよい。
【００６６】
なお、第２の操作がされた場合であって、操作有効ディスプレイにおいて、第２の操作により指示された操作方向に操作メニューがある場合、制御部２０は、当然のことながら、第２の操作に対応する操作信号に基づいて、操作メニューの選択を変更する。即ち、操作方向に隣接した操作メニューを選択した状態に変更する。
【００６７】
また、第１、２の実施形態と同様、第１の操作、第２の操作は、短押し操作、長押し操作の組み合わせに限られない。例えば、１回押し操作を第１の操作とし、２回押し操作を第２の操作としてもよい。また、操作スイッチ１０の代わりにジョイスティックやモーメンタルスイッチ等を採用する場合、一定方向に傾けた状態が所定時間以下の場合を短押し操作と同等の操作とし、一定方向に傾けた状態が所定時間より長い場合を長押し操作と同等の操作としてよい。また、所定時間内に一定方向に傾ける操作を１回行った場合を１回押し操作と同等の操作とし、所定時間内に一定方向に傾ける操作を２回行った場合を２回押し操作と同等の操作としてもよい。また、操作スイッチ１０の代わりに、タッチパッドやタッチパネルを採用する場合、シングルタッチを第１の操作とし、ダブルタッチを第２の操作としてもよい。また、タッチパッドやタッチパネルにおける操作方向の指示は、操作方向に弾くようにタッチパッドやタッチパネルをタッチ操作（所謂フリック操作）することにより行われてよい。
【００６８】
［第４の実施形態］
次いで、第４の実施形態について説明をする。
【００６９】
本実施形態に係る車両用情報表示装置１は、操作画面の操作メニューが複数のディスプレイに跨って、所定方向に配置される点において、第１の実施形態と異なる。また、操作メニューが配置された所定方向又はその反対方向への操作方向の指示がされた場合であって、操作有効ディスプレイにおいて、該操作方向に操作メニューがない場合に、操作有効ディスプレイを変更する点において、第１の実施形態と異なる。以下、第１の実施形態と同様の構成要素については同一の符号を付して、異なる部分を中心に説明をする。
【００７０】
本実施形態に係る車両用情報表示装置１の構成及び操作有効ディスプレイの変更処理のフローチャートは、第１の実施形態と同様、図１、及び図３で表されるため、説明を省略する。
【００７１】
次に、本実施形態に係る車両用情報表示装置１（制御部２０）による操作有効ディスプレイの決定手法（変更手法）の詳細について、説明をする。
【００７２】
図８は、本実施形態に係る車両用情報表示装置１（制御部２０）による操作有効ディスプレイの決定手法（変更手法）の一例を説明する図である。図８（ａ）は、車両における表示部３０に含まれるディスプレイ３１、３２の配置及び操作画面を説明する模式図である。図８（ｂ）、（ｃ）は、図８（ａ）に示すディスプレイ３１、３２の配置及び操作画面を前提とした操作有効ディスプレイの変更手法を説明する図である。
【００７３】
図８（ａ）を参照するに、本例では、上述した図２と同様、操作スイッチ１０は、決定スイッチＤＣ、及び方向指示スイッチ（上スイッチＵＳ、下スイッチＤＳ、左スイッチＬＳ、右スイッチＲＳ）を含むものがステアリングホイールに配置される。また、ディスプレイ３１、３２は、図２（ｂ）と同様、左から右方向にディスプレイ３１、ディスプレイ３２の順で並べて配置される。また、ディスプレイ３１、３２には、操作画面が表示されており、操作画面の操作対象としての操作メニューＡＡ、ＢＢ、ＣＣ、ＤＤ、ＥＥ、ＦＦがこの順で左から右方向にディスプレイ３１、３２を跨って配列される。ディスプレイ３１、３２に跨って配列された操作メニューのうち、操作メニューＡＡ、ＢＢ、ＣＣは、ディスプレイ３１の操作画面に表示され、操作メニューＤＤ、ＥＥ、ＦＦは、ディスプレイ３２の操作画面に表示される。なお、操作メニューＡＡ〜ＦＦは、例えば、何れの車載装置の情報画面を表示させるかについての選択メニューやオーディオ装置におけるソース選択メニュー（ラジオ、ＣＤ、ＤＶＤ等を選択するメニュー）等、任意の操作メニューであってよい。
【００７４】
図８（ａ）のディスプレイ３１、３２の配置及び操作画面を前提に、制御部２０は、操作スイッチ１０における操作方向の指示（左スイッチＬＳ、右スイッチＲＳの操作）に応じて、（変更後の）新たな操作有効ディスプレイを決定する。具体的には、図８（ｂ）を参照するに、ディスプレイ３１が操作有効ディスプレイの場合であって、操作メニューＣＣが選択された状態である場合、右スイッチＲＳが短押し操作されると、制御部２０は、操作有効ディスプレイをディスプレイ３２に変更し、操作メニューＤＤが選択された状態にする。また、ディスプレイ３２が操作有効ディスプレイの場合であって、操作メニューＤＤが選択された状態である場合、左スイッチＬＳが短押し操作されると、制御部２０は、操作有効ディスプレイをディスプレイ３１に変更し、操作メニューＣＣが選択された状態にする。即ち、制御部２０は、操作スイッチ１０が操作メニューの配列方向と同じ右方向又はその反対方向（左方向）への操作方向の指示を伴って操作された場合であって、操作有効ディスプレイにおいて、操作方向に操作メニューがない場合、操作有効ディスプレイを変更する。また、当該操作有効ディスプレイの変更においては、操作メニューの配列上、操作方向に隣接する操作メニューが表示されるディスプレイを新たな操作有効ディスプレイに決定する。これにより、第１の実施形態と同様の効果を得ることができる。また、操作メニューの配列の連続性に対応させて、操作有効ディスプレイの変更が行われるため、操作者（運転者等）は、直感的に操作を行うことが可能となり、操作性をより向上させることが可能である。
【００７５】
また、操作メニューの配列における最初の操作メニューと最後の操作メニューは、右方向又は左方向の一方向のみに隣接する操作メニューを有する。そのため、操作メニューの配列において、操作メニューが隣接しない方向への操作方向の指示により双方の操作メニューの選択状態の切り替えを可能としてもよい。具体的には、図８（ｃ）を参照するに、ディスプレイ３１が操作有効ディスプレイの場合であって、操作メニューＡＡが選択された状態である場合、左スイッチＬＳが短押し操作されると、制御部２０は、操作有効ディスプレイをディスプレイ３２に変更し、操作メニューＦＦが選択された状態にする。また、ディスプレイ３２が操作有効ディスプレイの場合であって、操作メニューＦＦが選択された状態である場合、右スイッチＲＳが短押し操作されると、制御部２０は、操作有効ディスプレイをディスプレイ３１に変更し、操作メニューＡＡが選択された状態にする。即ち、操作有効ディスプレイにおいて、操作スイッチ１０の操作による操作方向に隣接した操作メニューがなく、かつ、現在選択されている操作メニューに対して、操作メニューの配列上、操作方向に隣接した操作メニューがない場合、操作有効ディスプレイを変更してよい。また、当該操作有効ディスプレイの変更においては、操作メニューの配列上、操作方向の反対方向に隣接する操作メニューを有さない操作メニューが表示されるディスプレイを新たな操作有効ディスプレイに決定する。これにより、図８（ｂ）に示した例と同様の効果を得ることができる。
【００７６】
また、図８では、ディスプレイ３１、３２及び操作メニューを左右方向に並べて配置した例について説明を行ったが、ディスプレイ３１、３２及び操作メニューを上下方向に並べて配置した場合についても、同様の操作有効ディスプレイの変更処理が実行されてよい。
【００７７】
図９は、本実施形態に係る車両用情報表示装置１（制御部２０）による操作有効ディスプレイの決定手法（変更手法）の一例を説明する図である。図９（ａ）は、車両における表示部３０に含まれるディスプレイ３１、３２の配置及び操作画面を説明する模式図である。図９（ｂ）、（ｃ）は、図９（ａ）に示すディスプレイ３１、３２の配置及び操作画面を前提とした操作有効ディスプレイの変更手法を説明する図である。
【００７８】
図９（ａ）を参照するに、本例では、上述した図２と同様、操作スイッチ１０は、決定スイッチＤＣ、及び方向指示スイッチ（上スイッチＵＳ、下スイッチＤＳ、左スイッチＬＳ、右スイッチＲＳ）を含むものがステアリングホイールに配置される。また、ディスプレイ３１、３２は、図２（ａ）と同様、上から下方向にディスプレイ３１、ディスプレイ３２の順で並べて配置される。また、ディスプレイ３１、３２には、操作画面が表示されており、操作画面の操作対象としての操作メニューＡＡ、ＢＢ、ＣＣ、ＤＤがこの順で上から下方向にディスプレイ３１、３２に跨って配列される。ディスプレイ３１、３２に跨って配列された操作メニューのうち、操作メニューＡＡ、ＢＢは、ディスプレイ３１の操作画面に表示され、操作メニューＣＣ、ＤＤは、ディスプレイ３２の操作画面に表示される。なお、操作メニューＡＡ〜ＤＤは、例えば、何れの車載装置の情報画面を表示させるかについての選択メニューやオーディオ装置におけるソース選択メニュー（ラジオ、ＣＤ、ＤＶＤ等を選択するメニュー）等、任意の操作メニューであってよい。
【００７９】
図９（ａ）のディスプレイ３１、３２の配置及び操作画面を前提に、制御部２０は、操作スイッチ１０における操作方向の指示（上スイッチＵＳ、下スイッチＤＳの操作）に応じて、（変更後の）新たな操作有効ディスプレイを決定する。具体的には、図９（ｂ）を参照するに、ディスプレイ３１が操作有効ディスプレイの場合であって、操作メニューＢＢが選択された状態である場合、下スイッチＤＳが短押し操作されると、制御部２０は、操作有効ディスプレイをディスプレイ３２に変更し、操作メニューＣＣが選択された状態にする。また、ディスプレイ３２が操作有効ディスプレイの場合であって、操作メニューＣＣが選択された状態である場合、上スイッチＵＳが短押し操作されると、制御部２０は、操作有効ディスプレイをディスプレイ３１に変更し、操作メニューＢＢが選択された状態にする。即ち、制御部２０は、操作スイッチ１０が操作メニューの配列方向と同じ下方向又はその反対方向（上方向）への操作方向の指示を伴って操作された場合であって、操作有効ディスプレイにおいて、操作方向に操作メニューがない場合、操作有効ディスプレイを変更する。また、当該操作有効ディスプレイの変更においては、操作メニューの配列上、操作方向に隣接する操作メニューが表示されるディスプレイを新たな操作有効ディスプレイに決定する。これにより、図８（ｂ）の例と同様の効果を得ることができる。
【００８０】
また、図９（ｃ）を参照するに、ディスプレイ３１が操作有効ディスプレイの場合であって、操作メニューＡＡが選択された状態である場合、上スイッチＵＳが短押し操作されると、制御部２０は、操作有効ディスプレイをディスプレイ３２に変更し、操作メニューＤＤが選択された状態にする。また、ディスプレイ３２が操作有効ディスプレイの場合であって、操作メニューＤＤが選択された状態である場合、下スイッチＤＳが短押し操作されると、制御部２０は、操作有効ディスプレイをディスプレイ３１に変更し、操作メニューＡＡが選択された状態にする。即ち、操作有効ディスプレイにおいて、操作スイッチ１０の操作による操作方向に隣接した操作メニューがなく、かつ、現在選択されている操作メニューに対して、操作メニューの配列上、操作方向に隣接した操作メニューがない場合、操作有効ディスプレイを変更してよい。また、当該操作有効ディスプレイの変更においては、操作メニューの配列上、操作方向の反対方向に隣接する操作メニューを有さない操作メニューが表示されるディスプレイを新たな操作有効ディスプレイに決定する。これにより、図８（ｃ）に示した例と同様の効果を得ることができる。
【００８１】
また、表示部３０に３つ以上のディスプレイが含まれる場合であって、３つ以上のディスプレイに跨って操作メニューが配列される場合についても、同様の操作有効ディスプレイの変更処理が実行されてよい。以下、表示部３０に３つのディスプレイ３１、３２、３３が含まれる例について説明を行う。
【００８２】
図１０は、本実施形態に係る車両用情報表示装置１（制御部２０）による操作有効ディスプレイの決定手法（変更手法）の一例を説明する図である。図１０（ａ）は、車両における表示部３０に含まれるディスプレイ３１、３２、３３の配置及び操作画面を説明する模式図である。図１０（ｂ）、（ｃ）は、図１０（ａ）に示すディスプレイ３１、３２の配置及び操作画面を前提とした操作有効ディスプレイの変更手法を説明する図である。
【００８３】
図１０（ａ）を参照するに、本例では、上述した図２と同様、操作スイッチ１０は、決定スイッチＤＣ、及び方向指示スイッチ（上スイッチＵＳ、下スイッチＤＳ、左スイッチＬＳ、右スイッチＲＳ）を含むものがステアリングホイールに配置される。また、ディスプレイ３１、３２、３３は、左から右方向にディスプレイ３１、ディスプレイ３２、ディスプレイ３３の順で並べて配置される。また、ディスプレイ３１、３２、３３には、操作画面が表示されており、操作画面の操作対象としての操作メニューＡＡ、ＢＢ、ＣＣ、ＤＤ、ＥＥ、ＦＦ、ＧＧ、ＨＨ、ＩＩがこの順で左から右方向にディスプレイ３１〜３３を跨って配列される。ディスプレイ３１〜３３に跨って配列された操作メニューのうち、操作メニューＡＡ、ＢＢ、ＣＣは、ディスプレイ３１の操作画面に表示され、操作メニューＤＤ、ＥＥ、ＦＦは、ディスプレイ３２の操作画面に表示され、操作メニューＧＧ、ＨＨ、ＩＩは、ディスプレイ３３の操作画面に表示される。なお、操作メニューＡＡ〜ＩＩは、例えば、何れの車載装置の情報画面を表示させるかについての選択メニューやオーディオ装置におけるソース選択メニュー（ラジオ、ＣＤ、ＤＶＤ等を選択するメニュー）等、任意の操作メニューであってよい。
【００８４】
図１０（ａ）のディスプレイ３１〜３３の配置及び操作画面を前提に、制御部２０は、操作スイッチ１０における操作方向の指示（左スイッチＬＳ、右スイッチＲＳの操作）に応じて、（変更後の）新たな操作有効ディスプレイを決定する。具体的には、図１０（ｂ）を参照するに、ディスプレイ３１が操作有効ディスプレイの場合であって、操作メニューＣＣが選択された状態である場合、右スイッチＲＳが短押し操作されると、制御部２０は、操作有効ディスプレイをディスプレイ３２に変更し、操作メニューＤＤが選択された状態にする。また、ディスプレイ３２が操作有効ディスプレイの場合であって、操作メニューＤＤが選択された状態である場合、左スイッチＬＳが短押し操作されると、制御部２０は、操作有効ディスプレイをディスプレイ３１に変更し、操作メニューＣＣが選択された状態にする。また、ディスプレイ３２が操作有効ディスプレイの場合であって、操作メニューＦＦが選択された状態である場合、右スイッチＲＳが短押し操作されると、制御部２０は、操作有効ディスプレイをディスプレイ３３に変更し、操作メニューＧＧが選択された状態にする。また、ディスプレイ３３が操作有効ディスプレイの場合であって、操作メニューＧＧが選択された状態である場合、左スイッチＬＳが短押し操作されると、制御部２０は、操作有効ディスプレイをディスプレイ３２に変更し、操作メニューＦＦが選択された状態にする。即ち、制御部２０は、操作スイッチ１０が操作メニューの配列方向と同じ右方向又はその反対方向（左方向）への操作方向の指示を伴って操作された場合であって、操作有効ディスプレイにおいて、操作方向に操作メニューがない場合、操作有効ディスプレイを変更する。また、当該操作有効ディスプレイの変更においては、操作メニューの配列上、操作方向に隣接する操作メニューが表示されるディスプレイを新たな操作有効ディスプレイに決定する。これにより、図８（ｂ）と同様の効果を得ることができる。
【００８５】
また、図１０（ｃ）を参照するに、ディスプレイ３１が操作有効ディスプレイの場合であって、操作メニューＡＡが選択された状態である場合、左スイッチＬＳが短押し操作されると、制御部２０は、操作有効ディスプレイをディスプレイ３３に変更し、操作メニューＩＩが選択された状態にする。また、ディスプレイ３３が操作有効ディスプレイの場合であって、操作メニューＩＩが選択された状態である場合、右スイッチＲＳが短押し操作されると、制御部２０は、操作有効ディスプレイをディスプレイ３１に変更し、操作メニューＡＡが選択された状態にする。即ち、操作有効ディスプレイにおいて、操作スイッチ１０の操作による操作方向に隣接した操作メニューがなく、かつ、現在選択されている操作メニューに対して、操作メニューの配列上、操作方向に隣接した操作メニューがない場合、操作有効ディスプレイを変更してよい。また、当該操作有効ディスプレイの変更においては、操作メニューの配列上、操作方向の反対方向に隣接する操作メニューを有さない操作メニューが表示されるディスプレイを新たな操作有効ディスプレイに決定する。これにより、図８（ｃ）に示した例と同様の効果を得ることができる。
【００８６】
なお、上述した図８〜図１０の例において、操作有効ディスプレイ上、操作方向に操作対象がある場合には、当然のことながら、制御部２０は、操作信号に基づいて、操作対象の選択変更（選択の切替）を行う。また、表示部３０に含まれる複数のディスプレイに跨って配列された操作メニューの配列方向又はその反対方向以外への操作方向の指示がされた場合、制御部２０は、操作を無効としてもよいし、他の操作機能が付与され、当該操作機能に沿った制御を行ってもよい。
【００８７】
また、上述した図８〜図１０の例では、表示部３０に含まれる複数のディスプレイの配列方向と、複数のディスプレイに跨って配列される操作メニューの配列方向が同じであり、ディスプレイの配列順で、操作メニューが跨って表示される場合について説明した。しかし、双方の配列方向及び配列順は異なっていてもよい。即ち、所定方向に配列された複数の操作メニューが表示部３０に含まれる複数のディスプレイに跨って表示されていればよい。
【００８８】
また、上述した図８〜図１０の例では、操作スイッチ１０の短押し操作による操作有効ディスプレイの変更について記載したが、短押し操作以外の操作が行われた場合についても上述した操作有効ディスプレイの変更処理が行われてよい。また、操作スイッチ１０の代わりにジョイスティックやモーメンタルスイッチ等が採用され、これらによる操作が行われた場合についても、上述した操作有効ディスプレイの変更処理が行われてよい。また、操作スイッチ１０の代わりに、タッチパッドやタッチパネルを採用する場合、シングルタッチやダブルタッチ等の操作により上述した操作有効ディスプレイの変更処理が行われてよい。また、タッチパッドやタッチパネルにおける操作方向の指示は、操作方向に弾くようにタッチパッドやタッチパネルをタッチ操作（所謂フリック操作）することにより行われてよい。
【００８９】
以上、本発明を実施するための形態について詳述したが、本発明はかかる特定の実施形態に限定されるものではなく、特許請求の範囲に記載された本発明の要旨の範囲内において、種々の変形・変更が可能である。
【００９０】
例えば、上述した実施形態では、複数のディスプレイ間での操作有効ディスプレイの変更手法について説明をしたが、同様の変更手法を１つのディスプレイ上に複数の表示領域が含まれる場合に適用してもよい。即ち、複数の表示領域間での操作部１０による操作が有効な表示領域（操作有効表示領域）の変更（切替）において、上述した実施形態で説明した手法を適用することができる。例えば、１つのディスプレイの左半分の領域（左領域）にナビゲーション装置に関する表示がされ、右半分の領域（右領域）にオーディオ装置に関する表示がされている場合に、操作有効表示領域を変更（切替）する際、上述した実施形態で説明した手法が適用されてよい。また、操作有効表示領域の変更（切替）対象となる表示領域は、１つのディスプレイ内の表示領域に限られず、複数のディスプレイに跨って、操作有効表示領域の変更が行われてよく、この場合においても、上述した実施形態で説明した手法を適用することができる。また、表示部３０に含まれる複数のディスプレイの中に、複数の表示領域を含むものと、１つの表示領域のみを含むものが混在する場合についても上述した実施形態で説明した手法が適用されてよい。即ち、１つの表示領域のみを含むディスプレイを１つの表示領域とみなして、複数のディスプレイに跨った操作有効表示領域の変更を行うことができる。
【００９１】
［付記］
以下に上述した実施形態や変形例から把握可能な技術的思想について追記する。
【００９２】
（付記１）
車載装置に関する情報を表示すると共に、該車載装置を操作する操作画面を表示可能な複数の表示領域と、該複数の表示領域に表示される前記操作画面上の操作を行う操作部とを備える車両用情報表示装置であって、
前記操作部における操作に対応する操作信号を受信すると共に、前記複数の表示領域の表示制御を行う制御部であって、前記操作信号に基づいて、前記複数の表示領域のうち、前記操作部による操作が有効な表示領域としての操作有効表示領域を決定する制御部を備え、
前記操作画面上に含まれる複数の操作対象は、
所定方向に配列され、かつ、前記複数の表示領域に跨って表示され、
前記操作部は、
操作方向を指示可能であり、
前記制御部は、
前記操作部が前記所定方向又は前記所定方向の反対方向への前記操作方向の指示を伴って操作された場合であって、前記操作有効表示領域において、前記操作方向に操作対象がある場合、前記操作信号に基づいて、前記操作有効表示領域における操作対象の変更を実行し、
前記操作部が前記所定方向又は前記所定方向の反対方向への前記操作方向の指示を伴って操作された場合であって、前記操作有効表示領域において、前記操作方向に操作対象がない場合、前記操作信号に基づいて、前記操作有効表示領域を変更することを特徴とする、
車両用情報表示装置。
【００９３】
（付記２）
前記制御部は、
前記操作部が前記所定方向又は前記所定方向の反対方向への前記操作方向の指示を伴って操作された場合であって、前記操作有効表示領域において、前記操作方向に操作対象がなく、かつ、前記配列上、前記操作方向に隣接した操作対象がある場合、前記操作有効表示領域を、前記配列上、前記操作方向に隣接した操作対象が表示される表示領域に変更することを特徴とする、
付記１に記載の車両用情報表示装置。
【００９４】
（付記３）
前記制御部は、
前記操作部が前記所定方向又は前記所定方向の反対方向への前記操作方向の指示を伴って操作された場合であって、前記操作有効表示領域において、前記操作方向に操作対象がなく、かつ、現在選択されている操作対象に対して、前記配列上、前記操作方向に隣接した操作対象がない場合、前記操作有効表示領域を、前記配列上、前記操作方向の反対方向に隣接した操作対象を有さない操作対象が表示される表示領域に変更することを特徴とする、
付記１又は２に記載の車両用情報表示装置。
【００９５】
（付記４）
前記複数の表示領域は、
前記所定方向に並べて車載配置され、
前記複数の操作対象の配列順と前記複数の表示領域の配列順とは、対応していることを特徴とする、
付記２又は３に記載の車両用情報表示装置。
【符号の説明】
【００９６】
１  車両用情報表示装置
１０  操作スイッチ（操作部）
２０  制御部
３０  表示部
３１、３２、３３、３４  ディスプレイ（表示領域）
ＤＣ  決定スイッチ
ＤＳ  下スイッチ
ＬＳ  左スイッチ
ＲＳ  右スイッチ
ＵＳ  上スイッチ
ＡＡ、ＢＢ、ＣＣ、ＤＤ、ＥＥ、ＦＦ、ＧＧ、ＨＨ、ＩＩ  操作メニュー（操作対象）
【図１】
0005924355.tif 000002
【図２】
0005924355.tif 000003
【図３】
0005924355.tif 000004
【図４】
0005924355.tif 000005
【図５】
0005924355.tif 000006
【図６】
0005924355.tif 000007
【図７】
0005924355.tif 000008
【図８】
0005924355.tif 000009
【図９】
0005924355.tif 000010
【図１０】
0005924355.tif 000011